(57)【要約】【課題】開かれたり畳まれたりする時に表示画面に折り目が生じない折り畳み可能な電子装置を提供する。【解決手段】折り畳み可能なケースと、柔軟な表示装置と、少なくとも１つのローラと、を含む。前記折り畳み可能な電子素子は、前記折り畳み可能なケースの中に配置され、前記ローラは、前記折り畳み可能なケースの曲げ位置に対応して枢着される。【選択図】図１Ｂ
0003164598.tif 000002
【実用新案登録請求の範囲】
【請求項１】
開かれたり畳まれたりすることが可能な折り畳み可能なケースと、
前記折り畳み可能なケース上に配置され、該折り畳み可能なケースと共に開かれたり畳まれたりすることが可能な柔軟な表示装置と、
前記折り畳み可能なケースの曲げ位置に対応して枢着され、折り畳む際の前記柔軟な表示装置のスライド及び折れ曲がりを許容する少なくとも１つのローラと、
を備えたことを特徴とする折り畳み可能な電子装置。
【請求項２】
前記折り畳み可能なケースは、互いに枢着されて互いに開かれたり畳まれたりすることが可能な少なくとも２つのケース本体を有し、前記ケース本体を互いに開くことによって受容領域が形成され、該受容領域に柔軟な表示装置が配置されることを特徴とする請求項１に記載の折り畳み可能な電子装置。
【請求項３】
前記ケース本体は、少なくとも１つの枢軸を介して互いに枢着され、前記ローラは、前記枢軸に枢着されるとともに、畳む際に柔軟な表示装置が当該ローラに沿ってスライドして折れ曲がるように柔軟な表示装置に対して常時当接していることを特徴とする請求項２に記載の折り畳み可能な電子装置。
【請求項４】
前記折り畳み可能なケースは、互いに枢着されて互いに広げたり折り畳んだりすることが可能な３つのケース本体を有し、前記３つのケース本体を互いに開くことによって受容領域が形成され、該受容領域に柔軟な表示装置が配置されることを特徴とする請求項１に記載の折り畳み可能な電子装置。
【請求項５】
前記折り畳み可能な電子装置は、２つのローラを備え、前記３つのケース本体は、２つの枢軸を介して互いに枢着され、
前記２つのローラは、前記２つの枢軸にそれぞれ枢着されるとともに、折り畳む際に前記柔軟な表示装置が当該２つのローラに沿ってスライドして折れ曲がるように当該柔軟な表示装置に対して常時当接することを特徴とする請求項４に記載の折り畳み可能な電子装置。
【請求項６】
前記２つのローラの一方の外径が他方の外径よりも大きいことを特徴とする請求項５に記載の折り畳み可能な電子装置。
【考案の詳細な説明】
【技術分野】
【０００１】
本考案は折り畳み可能な電子装置に関し、特に柔軟な表示装置を表示画面として有する折り畳み可能な電子装置に関する。
【背景技術】
【０００２】
近年、技術や情報の急速な発展に伴って電子製品の製造技術も次第に向上してきている。携帯性及び実用性を追求して、軽量化、スリム化、小型縮小化を図った電子製品が開発されている。例えば、初期の大きな体積で大きな重量の陰極線管（ＣＲＴ）表示装置から軽量で肉薄の液晶表示（ＬＣＤ）装置まで様々な画面が開発されてきた。
また、持ち運びの利便性のために電子製品の小型化を追求してきたために、表示装置の大きさは相対的に小さくなってきた。
しかしながら、一般的な表示装置では、通常、持ち運びの利便性と使用時の快適性の両方を満たすことはできない。
すなわち、画面が小さくなるにつれて持ち運びは容易になるが、小型化に伴って表示装置の面積が減少して画面枠が小さくなるため、ユーザが閲覧するには不便である。
この問題を解決するために、複数の小型の表示装置を組み合わせて大型画面にする折り畳み可能な電子画面が開発されているが、表示装置と表示装置の間に結合部が生じるため、画面枠の質が低下する。
【０００３】
そのため、例えば、電子ペーパや有機発光ダイオード（ＯＬＥＤ）表示装置等の最新の柔軟な表示装置がこれまでに開発され、市場で入手可能となっている。
現在、電子装置に適用される柔軟な表示装置には、小さくするために丸める方式が用いられている。丸める方式の柔軟な表示装置は、複数の小型ディスプレイを組み合わせて大型画面にすることに起因する画面枠の質の低下という欠点を克服することができる。
しかしながら、この柔軟な表示装置には丸める時に最小屈曲の要件があり、その曲率が小さ過ぎるために柔軟な表示装置に折り目が生じ、柔軟な表示装置を再び広げた時に正常な表示ができないため、過度に小さく丸めることはできない。従って、従来型設計では上記課題を解決することができず、柔軟な表示装置を最新の折り畳み可能な電気製品に実装することができない。
【考案の概要】
【考案が解決しようとする課題】
【０００４】
本考案の目的は、柔軟な表示装置を従来の折り畳み可能な電子装置に適用した場合の折り目と裂け目の発生の問題を解決できる折り畳み可能な電子装置を提供することにある。
柔軟な表示装置
【課題を解決するための手段】
【０００５】
本考案は、折り畳み可能なケースと、柔軟な表示装置と、少なくとも１つのローラと、を備える折り畳み可能な電子装置を提供する。前記折り畳み可能なケースは、広げたり折り畳んだりすることが可能であり、前記柔軟な表示装置は、前記折り畳み可能なケースの中に配置されて、当該折り畳み可能なケースと共に広げたり折り畳んだりされる。さらに、前記ローラは、折り畳む際に前記柔軟な表示装置が当該ローラに沿ってスライドして折れ曲がるように、前記折り畳み可能なケースの曲げ位置に対応して枢着される。
【０００６】
本考案の折り畳み可能な電子装置において、前記折り畳み可能なケースは、互いに枢着されて互いに広げたり折り畳んだりすることが可能な少なくとも２つのケース本体を有する。前記２つのケース本体を互いに広げることによって、前記柔軟な表示装置が配置される受容領域が形成される。
【０００７】
本考案の折り畳み可能な電子装置において、前記２つのケース本体は、少なくとも１つの枢軸を介して互いに枢着され、前記ローラは、前記枢軸に枢着されるとともに、折り畳む際に前記柔軟な表示装置が当該ローラに沿ってスライドして折れ曲がるように当該柔軟な表示装置に対して常時押圧される。
【０００８】
本考案の折り畳み可能な電子装置において、前記折り畳み可能なケースは、少なくとも２つの枢軸を介して互いに枢着されて、互いに広げたり折り畳んだりすることが可能な３つのケース本体を有する。前記３つのケース本体を互いに広げることによって、前記柔軟な表示装置が配置される受容領域が形成される。
【０００９】
本考案に係る折り畳み可能な電子装置では、柔軟な表示装置は、２つのローラを備え、前記３つのケース本体は、少なくとも２つの枢軸を介して互いに枢着され、前記２つのローラは、前記２つの枢軸にそれぞれ枢着されるとともに、折り畳む際に前記柔軟な表示装置が当該２つのローラに沿ってスライドして折れ曲がるように当該柔軟な表示装置に対して常時押圧される。
【００１０】
本考案の折り畳み可能な電子装置において、前記２つのローラの一方の外径が他方の外径よりも大きい。
【考案の効果】
【００１１】
本考案による折り畳み可能な電子装置において、柔軟な表示装置は、折り畳み可能なケースと共に広げたり折り畳んだりすることが可能である。しかしながら、柔軟な表示装置を折り曲げる際に折り目が生じることがある。そのため、本考案の折り畳み可能な電子装置はローラを有するが、このローラは、折り畳み可能なケースが枢着されるベアリングに配置されて柔軟な表示装置に対して押圧されるとともに、その半径が柔軟な表示装置のフレキシブルな曲率半径よりも大きいので、柔軟な表示装置をローラの外径に沿わせて折り曲げたり、広げたり、スライドさせたりすることができる。そのため、柔軟な表示装置に折り目が生じたり折り畳み可能なケースに摩擦や破損が生じたりしない。従って、本考案によって上記問題が解決するので、柔軟な表示装置を折り畳み可能な電子装置に適用して、折り畳んだ時に最小となり広げた時に最大の表示画面を有する効果を実現することができる。
【００１２】
本考案のこれら及び他の態様は、以下に説明する好適な実施例の説明及び以下の図面から明らかとなろう。なお、本明細書の変形例及び変更例が本開示の進歩的概念の精神及び範囲から逸脱することなく実施される。
【図面の簡単な説明】
【００１３】
添付の図面は、本考案の１つ以上の実施例を図示し、記載した明細書と併せて本考案の原理を説明する。実施例の同一又は同様の構成要素は、図面を通して可能な限り同一の参照符号を用いて示す。
【図１Ａ】本考案の一実施例に係る折り畳み可能な電子装置の概略図である。
【図１Ｂ】本考案の一実施例に係る折り畳み可能な電子装置の概略構造図である。
【図２Ａ】図１における折り畳み可能な電子装置の平断面図である。
【図２Ｂ】図２Ａにおける第１ケース本体を第２ケース本体に対して折り畳んだ状態を示す概略図である。
【図２Ｃ】図２Ｂにおける第３ケース本体を第１ケース本体に対して折り畳んだ状態を示す概略図である。
【図３】本考案の他の実施例による折り畳み可能な電子装置の概略構造図である。
【考案を実施するための形態】
【００１４】
[実施例１]
【００１５】
図１Ａは本考案の一実施例に係る折り畳み可能な電子装置の概略図である。図１Ｂは、本考案の一実施例に係る折り畳み可能な電子装置の概略構造図である。
図１Ａ及び図１Ｂを参照すると、本実施例の折り畳み可能な電子装置１００は、三つ折りの折り畳み可能な電子装置であり、折り畳み可能なケース１１０と、柔軟な表示装置１２０と、２つの第１ローラ１３０と、２つの第２ローラ１３１と、を備える。
折り畳み可能なケース１１０は、第１ケース本体１１２と、第２ケース本体１１４と、第３ケース本体１１６と、２つの第１枢軸１１３と、２つの第２枢軸１１５と、を備える。
第１枢軸１１３は、第１ケース本体１１２と第２ケース本体１１４とが互いに枢着して、互いに広げたり折り畳んだりすることができるように、第１のケース本体１１２と第２のケース本体１１４を連結する。第２枢軸１１５は、第２ケース本体１１４と第３ケース本体１１６とが互いに枢着して、互いに広げたり折り畳んだりすることができるように、第２ケース本体１１４と第３ケース本体を連結する。そのため、折り畳み可能なケース１１０によって、第１ケース本体１１２、第２ケース本体１１４、第３ケース本体１１６が、第１枢軸１１３及び第２枢軸１１５の配列を介して互いに広げたり折り畳んだりすることが可能となる。
さらに、第１ケース本体１１２、第２ケース本体１１４、第３ケース本体１１６を互いに広げて最大面にすることによって、受容領域１１８が形成される。
また、第１ローラ１３０は、第１枢軸１１３に枢着されて第１枢軸１１３に対して回動可可能であり、第２ローラ１３１は、第２枢軸１１５に枢着されて第２枢軸１１５に対して回動可能である。
第１ローラ１３０及び第２ローラ１３１のローラ半径は、柔軟な表示装置１２０のフレキシブルな曲率半径よりも大きくなければならず、かつ、第２ローラ１３１のローラ半径は、第１ローラ１３０のローラ半径よりも大きくなければならない。
【００１６】
本考案の柔軟な表示装置１２０は、受容領域１１８上に配置され、矩形の板の形状を呈しているが、これに限定されるものではない。
柔軟な表示装置１２０は、第１縁１２１と、第１縁１２１に対向する第２縁１２２と、第３縁１２３と、第３縁１２３に対向する第４縁１２４と、を有する。第１縁１２１は、第１ケース本体１１２に連結され、第２縁１２２は、第３ケース本体１１６に連結される。
第３縁１２３及び第４縁１２４は、夫々第１枢軸１１３及び第２枢軸１１５に隣接しているが、第１ケース本体１１２、第２ケース本体１１４にも第３ケース本体１１６にも接続されていない。
そのため、柔軟な表示装置１２０の第１縁１２１及び第２縁１２２だけが折り畳み可能なケース１１０内で束縛されている。
すなわち、柔軟な表示装置１２０は、受容領域１１８に浮いた状態で配置されている。
さらに、柔軟な表示装置１２０は、第１縁１２１と、第２縁１２２と、第３縁１２３と、第４縁１２４とで囲まれる表示面１２５を更に有する。
この表示面１２５は、その背面が折り畳み可能なケース１１０に面した状態で配置され、第１ローラ１３０及び第２ローラ１３１に当接している。
柔軟な表示装置１２０は、折り畳み可能なケース１１０と一緒に開かれたり畳まれたりすることが可能であり、第１枢軸１１３又は第２枢軸１１５を中心として第１ローラ１３０又は第２ローラ１３１の外縁に沿って折れ曲がりスライドするとともに、第１ローラ１３０又は第２ローラ１３１を一緒に回動させる。
【００１７】
折り畳み可能な電子装置１００の折り畳み方の詳細を以下に説明する。図２Ａは、図１における折り畳み可能な電子装置の平断面図である。図２Ｂは、図２Ａの第１ケース本体を第２ケース本体に対して折り畳んだ状態を示す概略図である。図２Ｃは、図２Ｂにおける第３ケース本体を第１ケース本体に対して折り畳んだ状態を示す概略図である。
柔軟な表示装置１２０の表示面１２５は、第１ローラ１３０及び第２ローラ１３１に当接し、第１縁１２１は、第１ケース本体１１２に固定され、第２縁１２２は、第３ケース本体１１６に固定されている。
第１ケース本体１１２は、第２ケース本体１１４に対して反時計回りの円運動を行い、図２Ｂに示すように、第１枢軸１１３の軸を円の中心として１８０度回転して、第２ケース本体１１４に対して折り畳まれる。
この時、柔軟な表示装置１２０の第１縁１２１は、第１ケース本体１１２に固定され、柔軟な表示装置１２０は、第１枢軸１１３の第１ローラ１３０に当接してているので、柔軟な表示装置１２０は、第１ケース本体１１２により駆動されて第１ローラ１３０に沿ってスライドして折れ曲がる。
そして、柔軟な表示装置１２０の折れ曲がりによって第１ローラ１３０も一緒に回動する。
次に、第３ケース本体１１６は、第２ケース本体１１４に対して時計回り方向に動き、第２枢軸１１５を中心として１８０度回動して、図２Ｃに示すように、第１ケース本体１１２に対して折り畳まれる。
この時、柔軟な表示装置１２０の第２縁１２２は、第３ケース本体１１６に固定されて、柔軟な表示装置１２０は、第２枢軸１１５の第２ローラ１３１に対して押圧されているので、柔軟な表示装置１２０は、第３ケース本体１１６によって動かされて第２ローラ１３１に沿ってスライドして折れ曲がる。そして、柔軟な表示装置１２０の折れ曲がりによって第２ローラ１３１も一緒に回動する。
【００１８】
この時、折り畳み可能なケース１１０は、開いた状態から畳まれた状態に変化して占有面積が減少するので、ユーザの持ち運びに便利である。
折り畳んだ後に折り畳み可能なケース１１０が完全な外形及び均一な厚みを得るとともに、広げた後に柔軟な表示装置１２０の高さが等しい平面を得るために、第１ローラと第２ローラ１３１は、異なるロ―ラ半径でなければならない。
本考案において、第１ローラ１３０のローラ半径は、第２ローラ１３１のローラ半径よりも小さい。
さらに、第１ケース本体１１２、第２ケース本体１１４、第３ケース本体１１６のケース本体の厚さ、第１枢軸１１３、第２枢軸１１５の枢軸半径、第１ローラ１３０、第２ローラ１３１のローラ半径は、以下の関係式を満たさなければならない。
（第２ケース本体１１４のケース本体の厚さ）＋（第３ケース本体１１６のケース本体の厚さ）＜（第２枢軸１１５の枢軸半径）；
（第１ケース本体１１２のケース本体の厚さ）＞（第２枢軸１１５の枢軸半径）−（第２ローラ１３１のローラ半径）；
（第３ケース本体１１６のケース本体の厚さ）＞（第１枢軸１１３の枢軸半径）−（第１ローラ１３０のローラ半径）。
【００１９】
折り畳み可能なケース１１０には、第１ローラ１３０及び第２ローラ１３１が配置され、第１ローラ１３０及び第２ローラ１３１のローラ半径は、柔軟な表示装置１２０のフレキシブルな曲率半径よりも大きいので、柔軟な表示装置１２０が第１ローラ１３０又は第２ローラ１３１に沿って折れ曲がる際に折り目が生じない。
さらに、柔軟な表示装置１２０は、折れ曲がる際に第１ローラ１３０及び第２ローラ１３１に対して当接するので、柔軟な表示装置１２０が折れ曲がる際に第１ローラ１３０及び第２ローラ１３１が回動する。そのため、柔軟な表示装置１２０と折り畳み可能なケース１１０の間に摩擦や破損が生じない。
【００２０】
[実施例２]
図３は、本考案の他の実施例による折り畳み可能な電子装置の概略構造図である。
本実施例の構造は、図１に示した実施例の構造と実質的に同じなので、ここでは異なる点のみを説明する。
折り畳み可能な電子装置１００は、折り畳み可能なケース１１０と、柔軟な表示装置１２０と、２つの第１ローラ１３０と、を備える。
折り畳み可能なケース１１０は、第１ケース本体１１２と、第２ケース本体１１４と、２つの第１枢軸１１３と、を備える。
第１枢軸１１３は、第１ケース本体１１２と第２ケース本体１１４が互いに枢着して、互いに開けたり畳んだりすることができるように、第１ケース本体１１２と第２ケース本体１１４を連結する。
そのため、折り畳み可能なケース１１０によって、第１ケース本体１１２及び第２ケース本体１１４が、第１枢軸１１３の配列を介して互いに開けたり畳んだりすることが可能となる。
また、第１ケース本体１１２及び第２ケース本体１１４を互いに広げて最大面にすることによって受容領域１１８が形成される。
さらに、第１ローラ１３０は、第１枢軸１１３に枢着されて第１枢軸１１３に対して回転可能であり、第１ローラ１３０のローラ半径は、柔軟な表示装置１２０のフレキシブルな曲率半径よりも大きくなければならない。
柔軟な表示装置１２０は、受容領域１１８に配置され、第１縁１２１と、第１縁１２１に対向する第２縁１２２と、第３縁１２３と、第３縁１２３に対向する第４縁１２４と、を有する。
第１縁１２１は、第１ケース本体１１２に連結され、第２縁１２２は、第２ケース本体１１４に連結される。
さらに、柔軟な表示装置１２０は、第１縁１２１と、第２縁１２２と、第３縁１２３と、第４縁１２４とで囲まれる表示面１２５を有する。
この表示面１２５は、その裏面が折り畳み可能なケース１１０に面した状態で配置され、第１ローラ１３０に対して押圧される。柔軟な表示装置１２０は、折り畳み可能なケース１１０と共に広げたり折り畳んだりすることが可能で、第１枢軸１１３の軸を円の中心として第１ローラ１３０の外縁に沿って折れ曲がったり折り畳まれたりするとともに、第１ローラ１３０を一緒に回動させる。
【００２１】
本考案による折り畳み可能な電子装置によれば、柔軟な表示装置は、折り畳み可能なケースと共に広げたり折り畳んだりすることが可能である。しかしながら、柔軟な表示装置を折り曲げることによって折り目が生じることがある。そのため、本考案の折り畳み可能な電子装置はローラを有するが、このローラは、折り畳み可能なケースが枢着されるベアリングに配置されて柔軟な表示装置に対して押圧されるとともに、その半径が柔軟な表示装置のフレキシブルな曲率半径よりも大きいので、柔軟な表示装置をローラの外径に沿わせて折り曲げたり、広げたり、スライドさせたりすることができる。
よって、柔軟な表示装置に折り目が生じたり折り畳み可能なケースに摩擦や破損が生じたりしない。
従って、本考案によって上記問題が解決するため、柔軟な表示装置を折り畳み可能な電子装置に適用して、折り畳んだ時に最小となり開けた時に最大の表示画面を有するという効果を実現することができる。
【符号の説明】
【００２２】
１００・・・・・・折り畳み可能な電子装置
１１０・・・・・・折り畳み可能なケース
１１２、１１４、１１６・・ケース本体
１１３、１１５・・枢軸
１１８・・・・・・受容領域
１２０・・・・・・柔軟な表示装置
１２５・・・・・・表示面
１３０、１３１・・ローラ
【図１Ａ】
0003164598.tif 000003
【図１Ｂ】
0003164598.tif 000004
【図２Ａ】
0003164598.tif 000005
【図２Ｂ】
0003164598.tif 000006
【図２Ｃ】
0003164598.tif 000007
【図３】
0003164598.tif 000008